(57)【要約】【課題】急な雨にも対応できる２輪車用カバー装置を提供する。【解決手段】前後方向の所定位置を選択して固着される収納ケース１と、２輪車Ｅの略全体を展開状態で上方から被覆可能な防雨カバー２と、収納ケース１と上記防雨カバー２とを連繋する紐状体３と、を具備する。防雨カバー２を巻設又は折畳んで収納ケース１に収納自在とする。【選択図】図１
2019051850.tif 000002
【特許請求の範囲】
【請求項１】
２輪車（Ｅ）に固着される収納ケース（１）と、
上記２輪車（Ｅ）の略全体を展開状態で上方から被覆可能な防雨カバー（２）と、
上記収納ケース（１）と上記防雨カバー（２）とを連繋する紐状体（３）と、
を具備し、
上記防雨カバー（２）を巻設又は折畳んで上記収納ケース（１）に収納自在としたことを特徴とする２輪車用カバー装置。
【請求項２】
上記防雨カバー（２）は、その前端縁（４）・後端縁（５）に、ウェイトを兼用する巻取杆（６）が、取着されている請求項１記載の２輪車用カバー装置。
【請求項３】
上記防雨カバー（２）は、その両側端縁（７）（７）に、ウェイトを兼用する巻取杆（６）が、取着されている請求項２記載の２輪車用カバー装置。
【請求項４】
上記紐状体（３）は、上記防雨カバー（２）の前後方向の所定位置を択一的に選択して、かつ、着脱自在に取着される請求項１，２又は３記載の２輪車用カバー装置。
【発明の詳細な説明】
【技術分野】
【０００１】
本発明は、２輪車用カバー装置に関する。
【背景技術】
【０００２】
自転車、オートバイ等の２輪車が、駐輪中に雨に濡れるのを防止するために、２輪車に被覆させる防雨カバーが知られている（例えば、特許文献１参照）。
【先行技術文献】
【特許文献】
【０００３】
【特許文献１】実用新案登録第３１８３７０９号公報
【発明の概要】
【発明が解決しようとする課題】
【０００４】
特許文献１記載の２輪車用カバー装置は、２輪車とは別体であって、外出の際に持参することを忘れて、急な雨に対応できないという問題がある。また、紛失の虞れ及び盗難の虞れがあった。そこで、本発明は、急な雨にも対応できる２輪車用カバー装置を提供することを目的とする。また、紛失することがなく、かつ、盗難を防止することもできる２輪車用カバー装置を提供することを目的とする。
【課題を解決するための手段】
【０００５】
そこで、本発明に係る２輪車用カバー装置は、２輪車に固着される収納ケースと、上記２輪車の略全体を展開状態で上方から被覆可能な防雨カバーと、上記収納ケースと上記防雨カバーとを連繋する紐状体と、を具備し、上記防雨カバーを巻設又は折畳んで上記収納ケースに収納自在としたものである。
また、上記防雨カバーは、その前端縁・後端縁に、ウェイトを兼用する巻取杆が、固着されているものである。
また、上記防雨カバーは、その両側端縁に、ウェイトを兼用する巻取杆が、固着されているものである。
また、上記紐状体は、上記防雨カバーの前後方向の所定位置を択一的に選択して、かつ、着脱自在に取着されるものである。
【発明の効果】
【０００６】
本発明の２輪車用カバー装置によれば、防雨カバーを、２輪車に固着の収納ケースに収納して、常に２輪車と一体状として移動するので、急な雨にも対応できる。また、紛失することがなく、かつ、盗難を防止することもできる。さらに、風で捲れたり、飛んだりすることを防止することができる。また、防雨カバーを収納するのが容易である。
【図面の簡単な説明】
【０００７】
【図１】本発明の実施の一形態の使用状態を示す使用状態説明図である。
【図２】使用状態説明図である。
【図３】平面図である。
【図４】正面図である。
【図５】巻取杆を示す斜視図であって、（Ａ）は円柱の巻取杆を示す斜視図、（Ｂ）は六角柱の巻取杆を示す斜視図、（Ｃ）は四角柱の巻取杆を示す斜視図である。
【図６】防雨カバーの巻取手順を示す斜視図である。
【図７】防雨カバーを巻設した状態を示す断面図である。
【図８】防雨カバーを巻設した状態を示す平面図である。
【図９】防雨カバーを折り畳んだ状態を示す平面図である。
【図１０】防雨カバーの収納手順を示す正面図である。
【発明を実施するための形態】
【０００８】
以下、図示の実施の形態に基づいて本発明を詳説する。
図１は、本発明の第１の実施の形態の使用状態を示す。この２輪車用カバー装置は、自転車（電動自転車を含む）、バイク等の２輪車Ｅに取着して用いられる。２輪車Ｅに固着される収納ケース１と、２輪車Ｅの略全体を展開状態で上方から被覆可能な防雨カバー２と、を具備する。収納ケース１と防雨カバー２とは、紐状体３にて連繋される。
【０００９】
収納ケース１は、例えば、樹脂製又は金属製である。収納ケース１は、例えば、上方開口状網状箱体、孔開き板状箱体等である。
【００１０】
防雨カバー２は、例えば、防水加工又は撥水加工がされたナイロン、ポリエステル、ビニール等である。紐状体３は、例えば、ゴム紐、布紐等である。
【００１１】
収納ケース１は、図１の例では、後カゴＸの前の位置Ａに取着される。図１のハンドルＨの近傍の位置Ｂに取着するように構成しても良い。また、図２の例では、収納ケース１が、後カゴＸの後ろの位置Ｃに取着されている。図２の前カゴＹの前の位置Ｄに取着するように構成しても良い。
【００１２】
収納ケース１は２輪車Ｅに取付専用金具（図示省略）にて固着する。収納ケース１と紐状体３は、例えば、接着剤によって取着したり、収納ケース１に紐状体３を結んで取着する。防雨カバー２への紐状体３の取着手段は、縫合、接着剤等による取着である。
【００１３】
図３に示すように、防雨カバー２の形状は、矩形の４つの角を直線にてトリミングした形状である。図３に２点鎖線にて示すように、矩形の４つの角を円弧状にトリミングした形状としても良い。
【００１４】
図１〜図４に示すように、防雨カバー２は、その前端縁４・後端縁５に、ウェイトを兼用する巻取杆６が、取着されるとともに、防雨カバー２の両側端縁７，７に、ウェイトを兼用する巻取杆６が、取着されている。巻取杆６の形状は、例えば、図５（Ａ）に示すような円柱状、図５（Ｂ）に示すような六角柱状、図５（Ｃ）に示すような四角柱状、あるいは、図示省略するが、三角柱状、八角柱状等である。巻取杆６の材質は、例えば、木製、樹脂製、金属製等である。巻取杆６の長手方向を防雨カバー２の左右方向（すなわち図３に於ける上下方向）に一致させて配設する。この場合、防雨カバー２を後述のように巻取するのが容易である。
【００１５】
防雨カバー２への巻取杆６の取着手段は、例えば、接着による取着（固着）、又は、防雨カバー２に袋部（図示省略）を形成し、この袋部に巻取杆６を収納状とする取着等である。図３・図４に於て、巻取杆６は、防雨カバー２の上面２ａ側に取着される。巻取杆６が防雨カバー２の上面２ａ側に取着されることにより、後述のように、防雨カバー２を容易に巻設することができる。
【００１６】
防雨カバー２を巻設して（又は折畳んで）収納ケース１に収納自在である。図６〜図10に於て、防雨カバー２の収納手順について説明する。まず、図６の矢印Ｐに示すように、防雨カバー２の前端縁４（図１〜図４参照）に取着された巻取杆６にて防雨カバー２を巻取る。同様に、図７の矢印Ｑに示すように、防雨カバー２の後端縁５に取着された巻取杆６にて防雨カバー２を巻取る。
【００１７】
次に、図８の矢印Ｒに示すように、防雨カバー２の両側端縁７側を中央部８に折畳む。最後に、図９・図10に示すように折畳まれた防雨カバー２全体を、図10の矢印Ｓに示すように、収納ケース１の中へ収納する。
【００１８】
次に、第２の実施の形態について説明する。紐状体３は、防雨カバー２の前後方向の所定位置（例えば、図１に示す位置Ａ又は位置Ｂ、図２に示す位置Ｃ又は位置Ｄ）を択一的に選択して、かつ、着脱自在に取着する。例えば、防雨カバー２の複数箇所（Ａ〜Ｄに対応する位置）にホックの雌部を設けるとともに、紐状体３の先端にホックの雄部を設ける（図示省略）。あるいは、防雨カバー２の複数箇所（Ａ〜Ｄに対応する位置）にフック係止部を設けるとともに、紐状体３の先端にフックを設ける等の構成としても良い（図示省略）。その他の構成は、第１の実施の形態と同様である。
【００１９】
なお、本発明は、設計変更可能であって、例えば、巻取杆６の数は増減自在である。また、巻取杆６の長さを、収納ケース１の左右幅寸法より僅かに短く設定するも良い。この場合、防雨カバー２を容易に巻取ることができる。また、巻取杆６を、防雨カバー２の下面２ｂ側に取着するも良い。また、防雨カバー２の両側端縁７，７に配設される巻取杆６を省略するも良い。また、紐状体３の長さを調整自在に構成するも好ましい。
【００２０】
以上のように、本発明は、２輪車Ｅに固着される収納ケース１と、上記２輪車Ｅの略全体を展開状態で上方から被覆可能な防雨カバー２と、上記収納ケース１と上記防雨カバー２とを連繋する紐状体３と、を具備し、上記防雨カバー２を巻設又は折畳んで上記収納ケース１に収納自在としたので、防雨カバー２を天気にかかわらず２輪車Ｅに取着しておくことができ、急な雨にも対応できる。また、防雨カバー２が風で飛ぶことを防止することができる。また、防雨カバー２を紛失することがなく、かつ、盗難を防止することもできる。
【００２１】
また、上記防雨カバー２は、その前端縁４・後端縁５に、ウェイトを兼用する巻取杆６が、取着されているので、防雨カバー２の前端縁４・後端縁５が風で捲れたり、防雨カバー２が飛んだりすることを防止することができる。また、巻取杆６にて防雨カバー２をコンパクトに巻取ることができ、防雨カバー２を収納するのが容易である。
また、上記防雨カバー２は、その両側端縁７，７に、ウェイトを兼用する巻取杆６が、取着されているので、防雨カバー２の両側端縁７，７が風で捲れたり、防雨カバー２が飛んだりすることを防止することができる。特に、横風に対応することができる。また、巻取杆６にて防雨カバー２をコンパクトに巻取ることができ、防雨カバー２を収納するのが容易である。
【００２２】
また、上記紐状体３は、上記防雨カバー２の前後方向の所定位置を択一的に選択して、かつ、着脱自在に取着されるので、前カゴＹの位置及びサイズ、子供用シートの取付けの有無等に対応させて収納ケース１を２輪車Ｅの適切な位置に取着することができて至便である。
【符号の説明】
【００２３】
１  収納ケース
２  防雨カバー
３  紐状体
４  前端縁
５  後端縁
６  巻取杆
７  （両）側端縁
Ｅ  ２輪車
【図１】
2019051850.tif 000003
【図２】
2019051850.tif 000004
【図３】
2019051850.tif 000005
【図４】
2019051850.tif 000006
【図５】
2019051850.tif 000007
【図６】
2019051850.tif 000008
【図７】
2019051850.tif 000009
【図８】
2019051850.tif 000010
【図９】
2019051850.tif 000011
【図１０】
2019051850.tif 000012
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
２輪車（Ｅ）に固着される収納ケース（１）と、上記２輪車（Ｅ）の略全体を展開状態で上方から被覆可能な防雨カバー（２）と、上記収納ケース（１）と上記防雨カバー（２）とを連繋する紐状体（３）と、を具備し、上記防雨カバー（２）を巻設又は折畳んで上記収納ケース（１）に収納自在とした２輪車用カバー装置であって、
上記防雨カバー（２）の前端縁（４）、後端縁（５）、及び、両側端縁（７）（７）に、ウェイトを兼用する円柱状又は正多角形柱状の巻取杆（６）が、取着されており、かつ、該巻取杆（６）の長手方向を上記防雨カバー（２）の左右方向に一致させて配設したことを特徴とする２輪車用カバー装置。
【請求項２】
上記紐状体（３）は、上記防雨カバー（２）の前後方向の所定位置を択一的に選択して、かつ、着脱自在に取着される請求項１記載の２輪車用カバー装置。
【手続補正２】
【補正対象書類名】明細書
【補正対象項目名】全文
【補正方法】変更
【補正の内容】
【発明の詳細な説明】
【技術分野】
【０００１】
本発明は、２輪車用カバー装置に関する。
【背景技術】
【０００２】
自転車、オートバイ等の２輪車が、駐輪中に雨に濡れるのを防止するために、２輪車に被覆させる防雨カバーが知られている（例えば、特許文献１参照）。
【先行技術文献】
【特許文献】
【０００３】
【特許文献１】実用新案登録第３１８３７０９号公報
【発明の概要】
【発明が解決しようとする課題】
【０００４】
特許文献１記載の２輪車用カバー装置は、２輪車とは別体であって、外出の際に持参することを忘れて、急な雨に対応できないという問題がある。また、紛失の虞れ及び盗難の虞れがあった。そこで、本発明は、急な雨にも対応できる２輪車用カバー装置を提供することを目的とする。また、紛失することがなく、かつ、盗難を防止することもできる２輪車用カバー装置を提供することを目的とする。
【課題を解決するための手段】
【０００５】
そこで、本発明に係る２輪車用カバー装置は、２輪車に固着される収納ケースと、上記２輪車の略全体を展開状態で上方から被覆可能な防雨カバーと、上記収納ケースと上記防雨カバーとを連繋する紐状体と、を具備し、上記防雨カバーを巻設又は折畳んで上記収納ケースに収納自在とした２輪車用カバー装置であって、上記防雨カバーの前端縁、後端縁、及び、両側端縁に、ウェイトを兼用する円柱状又は正多角形柱状の巻取杆が、取着されており、かつ、該巻取杆の長手方向を上記防雨カバーの左右方向に一致させて配設したものである。
また、上記紐状体は、上記防雨カバーの前後方向の所定位置を択一的に選択して、かつ、着脱自在に取着されるものである。
【発明の効果】
【０００６】
本発明の２輪車用カバー装置によれば、防雨カバーを、２輪車に固着の収納ケースに収納して、常に２輪車と一体状として移動するので、急な雨にも対応できる。また、紛失することがなく、かつ、盗難を防止することもできる。さらに、風で捲れたり、飛んだりすることを防止することができる。また、防雨カバーを収納するのが容易である。
【図面の簡単な説明】
【０００７】
【図１】本発明の実施の一形態の使用状態を示す使用状態説明図である。
【図２】使用状態説明図である。
【図３】平面図である。
【図４】正面図である。
【図５】巻取杆を示す斜視図であって、（Ａ）は円柱の巻取杆を示す斜視図、（Ｂ）は六角柱の巻取杆を示す斜視図、（Ｃ）は四角柱の巻取杆を示す斜視図である。
【図６】防雨カバーの巻取手順を示す斜視図である。
【図７】防雨カバーを巻設した状態を示す断面図である。
【図８】防雨カバーを巻設した状態を示す平面図である。
【図９】防雨カバーを折り畳んだ状態を示す平面図である。
【図１０】防雨カバーの収納手順を示す正面図である。
【発明を実施するための形態】
【０００８】
以下、図示の実施の形態に基づいて本発明を詳説する。
図１は、本発明の第１の実施の形態の使用状態を示す。この２輪車用カバー装置は、自転車（電動自転車を含む）、バイク等の２輪車Ｅに取着して用いられる。２輪車Ｅに固着される収納ケース１と、２輪車Ｅの略全体を展開状態で上方から被覆可能な防雨カバー２と、を具備する。収納ケース１と防雨カバー２とは、紐状体３にて連繋される。
【０００９】
収納ケース１は、例えば、樹脂製又は金属製である。収納ケース１は、例えば、上方開口状網状箱体、孔開き板状箱体等である。
【００１０】
防雨カバー２は、例えば、防水加工又は撥水加工がされたナイロン、ポリエステル、ビニール等である。紐状体３は、例えば、ゴム紐、布紐等である。
【００１１】
収納ケース１は、図１の例では、後カゴＸの前の位置Ａに取着される。図１のハンドルＨの近傍の位置Ｂに取着するように構成しても良い。また、図２の例では、収納ケース１が、後カゴＸの後ろの位置Ｃに取着されている。図２の前カゴＹの前の位置Ｄに取着するように構成しても良い。
【００１２】
収納ケース１は２輪車Ｅに取付専用金具（図示省略）にて固着する。収納ケース１と紐状体３は、例えば、接着剤によって取着したり、収納ケース１に紐状体３を結んで取着する。防雨カバー２への紐状体３の取着手段は、縫合、接着剤等による取着である。
【００１３】
図３に示すように、防雨カバー２の形状は、矩形の４つの角を直線にてトリミングした形状である。図３に２点鎖線にて示すように、矩形の４つの角を円弧状にトリミングした形状としても良い。
【００１４】
図１〜図４に示すように、防雨カバー２は、その前端縁４・後端縁５に、ウェイトを兼用する巻取杆６が、取着されるとともに、防雨カバー２の両側端縁７，７に、ウェイトを兼用する巻取杆６が、取着されている。巻取杆６の形状は、例えば、図５（Ａ）に示すような円柱状、図５（Ｂ）に示すような六角柱状、図５（Ｃ）に示すような四角柱状、あるいは、図示省略するが、三角柱状、八角柱状等である。巻取杆６の材質は、例えば、木製、樹脂製、金属製等である。巻取杆６の長手方向を防雨カバー２の左右方向（すなわち図３に於ける上下方向）に一致させて配設する。この場合、防雨カバー２を後述のように巻取するのが容易である。
【００１５】
防雨カバー２への巻取杆６の取着手段は、例えば、接着による取着（固着）、又は、防雨カバー２に袋部（図示省略）を形成し、この袋部に巻取杆６を収納状とする取着等である。図３・図４に於て、巻取杆６は、防雨カバー２の上面２ａ側に取着される。巻取杆６が防雨カバー２の上面２ａ側に取着されることにより、後述のように、防雨カバー２を容易に巻設することができる。
【００１６】
防雨カバー２を巻設して（又は折畳んで）収納ケース１に収納自在である。図６〜図10に於て、防雨カバー２の収納手順について説明する。まず、図６の矢印Ｐに示すように、防雨カバー２の前端縁４（図１〜図４参照）に取着された巻取杆６にて防雨カバー２を巻取る。同様に、図７の矢印Ｑに示すように、防雨カバー２の後端縁５に取着された巻取杆６にて防雨カバー２を巻取る。
【００１７】
次に、図８の矢印Ｒに示すように、防雨カバー２の両側端縁７側を中央部８に折畳む。最後に、図９・図10に示すように折畳まれた防雨カバー２全体を、図10の矢印Ｓに示すように、収納ケース１の中へ収納する。
【００１８】
次に、第２の実施の形態について説明する。紐状体３は、防雨カバー２の前後方向の所定位置（例えば、図１に示す位置Ａ又は位置Ｂ、図２に示す位置Ｃ又は位置Ｄ）を択一的に選択して、かつ、着脱自在に取着する。例えば、防雨カバー２の複数箇所（Ａ〜Ｄに対応する位置）にホックの雌部を設けるとともに、紐状体３の先端にホックの雄部を設ける（図示省略）。あるいは、防雨カバー２の複数箇所（Ａ〜Ｄに対応する位置）にフック係止部を設けるとともに、紐状体３の先端にフックを設ける等の構成としても良い（図示省略）。その他の構成は、第１の実施の形態と同様である。
【００１９】
なお、本発明は、設計変更可能であって、例えば、巻取杆６の数は増減自在である。また、巻取杆６の長さを、収納ケース１の左右幅寸法より僅かに短く設定するも良い。この場合、防雨カバー２を容易に巻取ることができる。また、巻取杆６を、防雨カバー２の下面２ｂ側に取着するも良い。また、防雨カバー２の両側端縁７，７に配設される巻取杆６を省略するも良い。また、紐状体３の長さを調整自在に構成するも好ましい。
【００２０】
以上のように、本発明は、２輪車Ｅに固着される収納ケース１と、上記２輪車Ｅの略全体を展開状態で上方から被覆可能な防雨カバー２と、上記収納ケース１と上記防雨カバー２とを連繋する紐状体３と、を具備し、上記防雨カバー２を巻設又は折畳んで上記収納ケース１に収納自在としたので、防雨カバー２を天気にかかわらず２輪車Ｅに取着しておくことができ、急な雨にも対応できる。また、防雨カバー２が風で飛ぶことを防止することができる。また、防雨カバー２を紛失することがなく、かつ、盗難を防止することもできる。
【００２１】
また、上記防雨カバー２は、その前端縁４・後端縁５に、ウェイトを兼用する巻取杆６が、取着されているので、防雨カバー２の前端縁４・後端縁５が風で捲れたり、防雨カバー２が飛んだりすることを防止することができる。また、巻取杆６にて防雨カバー２をコンパクトに巻取ることができ、防雨カバー２を収納するのが容易である。
また、上記防雨カバー２は、その両側端縁７，７に、ウェイトを兼用する巻取杆６が、取着されているので、防雨カバー２の両側端縁７，７が風で捲れたり、防雨カバー２が飛んだりすることを防止することができる。特に、横風に対応することができる。また、巻取杆６にて防雨カバー２をコンパクトに巻取ることができ、防雨カバー２を収納するのが容易である。
【００２２】
また、上記紐状体３は、上記防雨カバー２の前後方向の所定位置を択一的に選択して、かつ、着脱自在に取着されるので、前カゴＹの位置及びサイズ、子供用シートの取付けの有無等に対応させて収納ケース１を２輪車Ｅの適切な位置に取着することができて至便である。
【符号の説明】
【００２３】
１  収納ケース
２  防雨カバー
３  紐状体
４  前端縁
５  後端縁
６  巻取杆
７  （両）側端縁
Ｅ  ２輪車